(57)【特許請求の範囲】
【請求項１】
遊戯施設への入場から所定期間経過したユーザに課される再入場料が発生した場合に、該再入場料の立替支払いを実行する立替手段と、
前記立替支払いの対象となった前記ユーザに、立替支払いされた前記再入場料の支払いを要求する要求手段と
を備えることを特徴とする料金徴収システム。
【請求項２】
前記要求手段は、前記ユーザが前記遊戯施設の退場ゲートを通過する前に前記再入場料の支払いを要求し、前記再入場料が支払われたことを条件に前記退場ゲートの通過を許可することを特徴とする請求項１に記載の料金徴収システム。
【請求項３】
遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段と
を備えることを特徴とする料金徴収システム。
【請求項４】
前記再入場料が発生した場合に、前記再入場料を支払うべき前記ユーザがカード支払い情報を登録しているか否かを判定する登録判定手段を更に備えることを特徴とする請求項３に記載の料金徴収システム。
【請求項５】
前記カード支払い情報が登録されていない場合に、前記再入場料の立替支払いを実行する立替手段と、
前記立替支払いの対象となった前記ユーザに、立替支払いされた前記再入場料の支払いを要求する要求手段と
を更に備えることを特徴とする請求項３又は４に記載の料金徴収システム。
【請求項６】
前記立替支払いの対象となった前記ユーザに徴収フラグを付与するフラグ付与手段と、
前記遊戯施設からの退場が検出された前記ユーザに前記徴収フラグが付与されているか否かを判定するフラグ判定手段と
を更に備え、
前記要求手段は前記徴収フラグが付与されていると判定された前記ユーザに、立替支払いされた前記再入場料の支払いを要求する
ことを特徴とする請求項１、２及び５のいずれか一項に記載の料金徴収システム。
【請求項７】
入場から所定期間経過したユーザに再入場料が発生する遊戯施設の料金徴収システムであって、
前記遊戯施設への入場時に、入場する前記ユーザが前記遊戯施設内に継続して滞在可能な期間である最長滞在期間に応じた再入場料を含む最大料金を徴収する徴収手段と、
前記ユーザの退場時に、前記最大料金から前記ユーザが支払うべき料金を差し引いた余剰金を返金する返金手段と
を備えることを特徴とする料金徴収システム。
【請求項８】
前記最長滞在期間を取得する期間取得手段を更に備えることを特徴とする請求項７に記載の料金徴収システム。
【請求項９】
前記再入場料の発生を検出する検出手段を更に備えることを特徴とする請求項１から８のいずれか一項に記載の料金徴収システム。
【請求項１０】
前記ユーザの前記遊戯施設からの退場を顔認証によって検出する退場検出手段を更に備えることを特徴とする請求項１から９のいずれか一項に記載の料金徴収システム。
【請求項１１】
前記再入場料が発生した場合に、前記ユーザが前記遊戯施設に再入場した旨を前記遊戯施設の管理委員会に通知することを特徴とする請求項１から１０のいずれか一項に記載の料金徴収システム。
【請求項１２】
前記遊戯施設内における前記ユーザをトラッキングするトラッキング手段と、
前記再入場料が発生した前記ユーザが前記トラッキングされている場合に、前記ユーザの最寄りのディスプレイで前記再入場料が発生した旨を通知する通知手段と
を更に備えることを特徴とする請求項１から１１のいずれか一項に記載の料金徴収システム。
【請求項１３】
遊戯施設への入場から所定期間経過したユーザに課される再入場料が発生した場合に、該再入場料の立替支払いを実行する立替手段と、
前記立替支払いの対象となった前記ユーザに、立替支払いされた前記再入場料の支払いを要求するよう指示を出力する要求手段と
を備えることを特徴とする料金徴収装置。
【請求項１４】
遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段と
を備えることを特徴とする料金徴収装置。
【請求項１５】
入場から所定期間経過したユーザに再入場料が発生する遊戯施設の料金徴収装置であって、
前記遊戯施設への入場時に、入場する前記ユーザが前記遊戯施設内に継続して滞在可能な期間である最長滞在期間に応じた再入場料を含む最大料金を徴収するよう指示を出力する徴収手段と、
前記ユーザの退場時に、前記最大料金から前記ユーザが支払うべき料金を差し引いた余剰金を返金するよう指示を出力する返金手段と
を備えることを特徴とする料金徴収装置。
【請求項１６】
コンピュータが実行する料金徴収方法であって、
遊戯施設への入場から所定期間経過したユーザに課される再入場料が発生した場合に、該再入場料の立替支払いを実行し、
前記立替支払いの対象となった前記ユーザに、前記再入場料の支払いを要求する
ことを特徴とする料金徴収方法。
【請求項１７】
コンピュータが実行する料金徴収方法であって、
遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行する
ことを特徴とする料金徴収方法。
【請求項１８】
入場から所定期間経過したユーザに再入場料が発生する遊戯施設においてコンピュータが実行する料金徴収方法であって、
前記遊戯施設への入場時に、入場する前記ユーザが前記遊戯施設内に継続して滞在可能な期間である最長滞在期間に応じた再入場料を含む最大料金を徴収し、
前記ユーザの退場時に、前記最大料金から前記ユーザが支払うべき料金を差し引いた余剰金を返金する
ことを特徴とする料金徴収方法。
【請求項１９】
遊戯施設への入場から所定期間経過したユーザに課される再入場料が発生した場合に、該再入場料の立替支払いを実行し、
前記立替支払いの対象となった前記ユーザに、前記再入場料の支払いを要求する
ようにコンピュータを動作させることを特徴とするコンピュータプログラム。
【請求項２０】
遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行する
ようにコンピュータを動作させることを特徴とするコンピュータプログラム。
【請求項２１】
入場から所定期間経過したユーザに再入場料が発生する遊戯施設の料金徴収方法であって、
前記遊戯施設への入場時に、入場する前記ユーザが前記遊戯施設内に継続して滞在可能な期間である最長滞在期間に応じた再入場料を含む最大料金を徴収し、
前記ユーザの退場時に、前記最大料金から前記ユーザが支払うべき料金を差し引いた余剰金を返金する
ようにコンピュータを動作させることを特徴とするコンピュータプログラム。
【発明の詳細な説明】
【技術分野】
【０００１】
本発明は、遊戯施設の利用料金を徴収する料金徴収システム、料金徴収装置、料金徴収方法及びコンピュータプログラムの技術分野に関する。
【背景技術】
【０００２】
この種のシステムとして、カジノ施設等の利用料金を徴収するものが知られている。例えば特許文献１では、カジノ施設の入退場口に設置された装置によって入場料を徴収する技術が開示されている。特許文献２では、遊技場への入場時に利用予定時間に応じた入場料を支払い、退場時に利用予定時間を超過した分の追加料金を支払う技術が開示されている。特許文献３では、電子マネー残高の少なくとも一部を預り金として徴収する技術が開示されている。特許文献４では、計測した滞在時間に応じた利用料金を徴収する技術が開示されている。
【先行技術文献】
【特許文献】
【０００３】
【特許文献１】特開２０１５−１４３９８６号公報
【特許文献２】特開２０１１−０４８６８３号公報
【特許文献３】特開２００７−１４３９９８号公報
【特許文献４】特開２００４−２０６５４０号公報
【発明の概要】
【発明が解決しようとする課題】
【０００４】
カジノ施設では、入場後に所定時間（例えば、２４時間）が経過すると、再入場料を徴収する必要がある。このため、入場時に利用料金を徴収した場合でも、再び利用料金を徴収する機会が発生することがある。しかしながら、上述した各特許文献に記載されている技術では、入場料を複数回徴収する点に関して十分な議論がなされておらず、改善の余地がある。【０００５】
本発明は、上記問題点に鑑みてなされたものであり、遊戯施設の利用料金を適切に徴収することが可能な料金徴収システム、料金徴収装置、料金徴収方法及びコンピュータプログラムを提供することを目的とする。
【課題を解決するための手段】
【０００６】
本発明の料金徴収システムの一の態様は、遊戯施設への入場から所定期間経過したユーザに課される再入場料が発生した場合に、該再入場料の立替支払いを実行する立替手段と、前記立替支払いの対象となった前記ユーザに、立替支払いされた前記再入場料の支払いを要求する要求手段とを備える。【０００７】
本発明の料金徴収システムの他の態様は、遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段とを備える。【０００８】
本発明の料金徴収システムの他の態様は、入場から所定期間経過したユーザに再入場料が発生する遊戯施設の料金徴収システムであって、前記遊戯施設への入場時に、入場する前記ユーザが前記遊戯施設内に継続して滞在可能な期間である最長滞在期間に応じた再入場料を含む最大料金を徴収する徴収手段と、前記ユーザの退場時に、前記最大料金から前記ユーザが支払うべき料金を差し引いた余剰金を返金する返金手段とを備える。【０００９】
本発明の料金徴収装置の一の態様は、遊戯施設への入場から所定期間経過したユーザに課される再入場料が発生した場合に、該再入場料の立替支払いを実行する立替手段と、前記立替支払いの対象となった前記ユーザに、立替支払いされた前記再入場料の支払いを要求するよう指示を出力する要求手段とを備える。【００１０】
本発明の料金徴収装置の他の態様は、遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段とを備える。【００１１】
本発明の料金徴収装置の他の態様は、入場から所定期間経過したユーザに再入場料が発生する遊戯施設の料金徴収装置であって、前記遊戯施設への入場時に、入場する前記ユーザが前記遊戯施設内に継続して滞在可能な期間である最長滞在期間に応じた再入場料を含む最大料金を徴収するよう指示を出力する徴収手段と、前記ユーザの退場時に、前記最大料金から前記ユーザが支払うべき料金を差し引いた余剰金を返金するよう指示を出力する返金手段とを備える。【００１２】
本発明の料金徴収方法の一の態様は、遊戯施設への入場から所定期間経過したユーザに課される再入場料が発生した場合に、該再入場料の立替支払いを実行し、前記立替支払いの対象となった前記ユーザに、前記再入場料の支払いを要求する。【００１３】
本発明の料金徴収方法の他の態様は、遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行する。【００１４】
本発明の料金徴収方法の他の態様は、入場から所定期間経過したユーザに再入場料が発生する遊戯施設の料金徴収方法であって、前記遊戯施設への入場時に、入場する前記ユーザが前記遊戯施設内に継続して滞在可能な期間である最長滞在期間に応じた再入場料を含む最大料金を徴収し、前記ユーザの退場時に、前記最大料金から前記ユーザが支払うべき料金を差し引いた余剰金を返金する。【００１５】
本発明のコンピュータプログラムの一の態様は、遊戯施設への入場から所定期間経過したユーザに課される再入場料が発生した場合に、該再入場料の立替支払いを実行し、前記立替支払いの対象となった前記ユーザに、前記再入場料の支払いを要求するようにコンピュータを動作させる。【００１６】
本発明のコンピュータプログラムの他の態様は、遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行するようにコンピュータを動作させる。【００１７】
本発明のコンピュータプログラムの他の態様は、入場から所定期間経過したユーザに再入場料が発生する遊戯施設の料金徴収方法であって、前記遊戯施設への入場時に、入場する前記ユーザが前記遊戯施設内に継続して滞在可能な期間である最長滞在期間に応じた再入場料を含む最大料金を徴収し、前記ユーザの退場時に、前記最大料金から前記ユーザが支払うべき料金を差し引いた余剰金を返金するようにコンピュータを動作させる。
【発明の効果】
【００１８】
上述した料金徴収システム、料金徴収装置料金徴収方法、及びコンピュータプログラムのそれぞれの一の態様によれば、遊戯施設の利用料金を適切に徴収することが可能である。
【図面の簡単な説明】
【００１９】
【図１】第１実施形態に係る料金徴収システムの構成を示すブロック図である。
【図２】第１実施形態に係る料金徴収装置のハードウェア構成を示すブロック図である。
【図３】第１実施形態に係る料金徴収システムにおける１回目の入場時の動作の流れを示すフローチャートである。
【図４】第１実施形態に係る料金徴収システムにおける再入場料発生時の動作の流れを示すフローチャートである。
【図５】第１実施形態に係る料金徴収システムの具体的な動作例を示す概念図である。
【図６】第２実施形態に係る料金徴収システムの構成を示すブロック図である。
【図７】第２実施形態に係る料金徴収システムにおける再入場料発生時の動作の流れを示すフローチャートである。
【図８】第２実施形態に係る料金徴収システムの具体的な動作例を示す概念図である。
【図９】第３実施形態に係る料金徴収システムの構成を示すブロック図である。
【図１０】第１実施形態に係る料金徴収システムにおける入場時の動作の流れを示すフローチャートである。
【図１１】第３実施形態に係る料金徴収システムにおける再入場料発生時の動作の流れを示すフローチャートである。
【図１２】第３実施形態に係る料金徴収システムの具体的な動作例を示す概念図である。
【発明を実施するための形態】
【００２０】
以下、図面を参照しながら、料金徴収システム、料金徴収装置料金徴収方法及びコンピュータプログラムの実施形態について説明する。
【００２１】
＜第１実施形態＞
第１実施形態に係る料金徴収システムについて、図１から図５を参照して説明する。
【００２２】
（システム構成）
はじめに、第１実施形態に係る料金徴収システムの具体的なシステム構成について、図１を参照しながら説明する。図１は、第１実施形態に係る料金徴収システムの構成を示すブロック図である。
【００２３】
図１において、第１実施形態に係る料金徴収システム１は、カジノ施設の利用者から利用料金（特に、入場から所定期間経過後に発生する再入場料）を徴収するシステムとして構成されている。料金徴収システム１は、その主な構成要素として、入退場ゲート装置１０と、料金徴収装置２０とを備えて構成されている。
【００２４】
入退場ゲート装置１０は、カジノ施設の出入口付近に設置されており、ゲートを開閉することで、カジノ施設への入退場を許可又は禁止することが可能に構成されている。なお、入退場ゲート装置１０は、入場ゲート装置及び退場ゲート装置として別々に設けられていてもよい。入退場ゲート装置１０は、その機能を実現するための構成要素として、ユーザ認証部１１０、支払処理部１２０、及びゲート開閉制御部１３０を備えている。
【００２５】
ユーザ認証部１１０は、例えばカメラや各種リーダ等を備えており、カジノに入場しようとする入場者の生体情報や身分証（例えば、マイナンバーカードやパスポート等）から入場者に関する各種情報を取得して、ユーザに関する認証処理（例えば、ユーザの本人確認等）を実行可能に構成されている。具体的には、ユーザ認証部１１０は、顔認証によって認証処理を行うことが可能に構成されている。例えば、ユーザ認証部１１０は、ゲート付近に設置されたカメラで撮像された顔画像と、身分証に登録された顔画像とを比較することで顔認証を実行する。この際、顔画像ではなく、顔画像から抽出した特徴量を利用してもよい。顔認証は、入場時の他、退場時等にも実行されてよい。
【００２６】
支払処理部１２０は、カジノ施設の利用で発生する各種料金の支払いを行うことが可能に構成されている。支払処理部１２０は、例えばカジノ施設への入場料の他、入場から所定期間経過後に発生する再入場料の支払いもできるように構成されている。なお、再入場料は、入場から所定期間内に一時退場して再入場する際には徴収不要である。また、カジノ施設への入場料及び再入場料は、基本的に日本人から徴収されるものであり、外国人（具体的には、日本に住所を有しないユーザ）からの徴収は不要である。このため支払処理部１２０は、入場料及び再入場料の徴収が必要なユーザを判定可能に構成されてもよい。言い換えると、支払処理部１２０は、入場しようとしているユーザから入場料及び再入場料の徴収が必要であるか否か判定するように構成されてもよい。例えば、支払処理部１２０は、ユーザが提示する身分証がマイナンバーカードであれば、ユーザが日本人である（即ち、料金の徴収要）と判定し、パスポートであれば、ユーザが外国人である（即ち、料金の徴収不要）と判定してもよい。
【００２７】
ゲート開閉制御部１３０は、カジノ施設の出入り口にあるゲートの開閉を制御可能に構成されている。例えば、ゲート開閉制御部１３０がゲートを開くと、ユーザはゲートを通過可能となり、カジノ施設への入場又はカジノ施設からの退場が許可された状態となる。一方で、ゲート開閉制御部１３０がゲートを閉じると、ユーザはゲートを通過不能となり、カジノ施設への入場又はカジノ施設からの退場が禁止された状態となる。料金徴収システム１は、必ずしも入退場ゲート装置１０を有する必要はない。
【００２８】
料金徴収装置２０は、例えばカジノ施設を運営する事業者（以下、適宜「カジノ事業者」と称する）が保有するサーバとして構成されており、カジノ施設において利用者が支払うべき料金の徴収を管理する（或いは、実際に料金の徴収を行う）。料金徴収装置２０は、その機能を実現するための構成要素として、料金発生検出部２１０、立替支払部２２０、徴収フラグ付与部２３０、徴収フラグ判定部２４０、及び支払要求部２５０を備えている。
【００２９】
料金発生検出部２１０は、カジノ施設を利用しているユーザに再入場料が発生したか否かを検出する。言い換えれば、料金発生検出部２１０は、ユーザがカジノ施設に入場してから所定期間（即ち、再入場料が発生する期間）が経過したか否かを判定する。料金発生検出部２１０の判定結果は、立替支払部２２０に出力される構成となっている。なお、料金発生検出部２１０は、再入場料が発生した際に、その旨（具体的には、実質的に２回目の入場があった旨）をカジノ管理委員会に通知してもよい。また、料金発生検出部２１０は、ユーザがトラッキング対象となっている場合（言い換えれば、ユーザの位置が検出できる場合）、ユーザの最寄りのディスプレイ等に、再入場料が発生した旨を提示してもよい。
【００３０】
立替支払部２２０は、料金発生検出部２１０で再入場料が発生したことが検出された場合に、再入場料の立替支払いを行う。即ち、立替支払部２２０は、ユーザに対して再入場料の支払いを要求することなく、代わりに再入場料の支払いを行う。なお、ここでの「立替支払い」とは、実際に支払いを行う場合だけでなく、立て替えたものとみなして（即ち、実際に支払いは行わず）、入場者が支払うべき金額に立替金額を加算する処理を行う場合も含む概念である。つまり、立替支払いを行う料金徴収システム１（言い換えれば、カジノ事業者）は、再入場料が発生する度に逐次支払を実行しなくともよい。
【００３１】
徴収フラグ付与部２３０は、立替支払部２２０による立替支払いが行われた場合に、その対象となったユーザに徴収フラグを付与する。なお、一のユーザに対して複数回の立替支払いが行われた場合、徴収フラグ付与部２３０は、その回数が分かるようなフラグを付与する。
【００３２】
徴収フラグ判定部２４０は、カジノ施設から退場しようとするユーザに徴収フラグが付与されているか否かを判定する。言い換えれば、徴収フラグ判定部２４０は、退場しようとするユーザに対して、立替支払部２２０が立替支払いを行ったか否かを判定する。徴収フラグ判定部２４０の判定結果は、支払要求部２５０に出力される構成となっている。
【００３３】
支払要求部２５０は、カジノ施設から退場しようとするユーザに徴収フラグが付与されていると判定された場合に、そのユーザに対して、立替支払いを行った分の再入場料の支払いを要求する。支払要求部２５０は、例えば入退場ゲート装置１０に備えられたディスプレイ等を用いて、ユーザに再入場料の支払を要求する。或いは支払要求部２５０は、再入場料の支払いが完了するまで、入退場ゲート装置１０のゲートを開かないように制御してもよい。
【００３４】
（ハードウェア構成）
続いて、第１実施形態に係る料金徴収システム（特に、料金徴収装置２０）のハードウェア構成について、図２を参照しながら説明する。図２は、第１実施形態に係る料金徴収装置のハードウェア構成を示すブロック図である。
【００３５】
図１に示すように、第１実施形態に係る料金徴収装置２０は、は、ＣＰＵ（Ｃｅｎｔｒａｌ  Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１３と、記憶装置１４と、入力装置１５と、出力装置１６とを備えている。ＣＰＵ１１と、ＲＡＭ１２と、ＲＯＭ１３と、記憶装置１４と、入力装置１５と、出力装置１６とは、データバス１７を介して接続されている。
【００３６】
ＣＰＵ１１は、コンピュータプログラムを読み込む。例えば、ＣＰＵ１１は、ＲＡＭ１２、ＲＯＭ１３及び記憶装置１４のうちの少なくとも一つが記憶しているコンピュータプログラムを読み込んでもよい。例えば、ＣＰＵ１１は、コンピュータで読み取り可能な記録媒体が記憶しているコンピュータプログラムを、図示しない記録媒体読み取り装置を用いて読み込んでもよい。ＣＰＵ１１は、ネットワークインタフェースを介して、外部に配置される不図示の装置からコンピュータプログラムを取得してもよい（つまり、読み込んでもよい）。ＣＰＵ１１は、読み込んだコンピュータプログラムを実行することで、ＲＡＭ１２、記憶装置１４、入力装置１５及び出力装置１６を制御する。本実施形態では特に、ＣＰＵ１１が読み込んだコンピュータプログラムを実行すると、ＣＰＵ１１内には、カジノ施設の料金徴収を行うための機能ブロックが実現される。例えば、上述した料金発生検出部２１０、立替支払部２２０、徴収フラグ付与部２３０、徴収フラグ判定部２４０、及び支払要求部２５０は、ＣＰＵ１１において実現されてもよい。
【００３７】
ＲＡＭ１２は、ＣＰＵ１１が実行するコンピュータプログラムを一時的に記憶する。ＲＡＭ１２は、ＣＰＵ１１がコンピュータプログラムを実行している際にＣＰＵ１１が一時的に使用するデータを一時的に記憶する。ＲＡＭ１２は、例えば、Ｄ−ＲＡＭ（Ｄｙｎａｍｉｃ  ＲＡＭ）であってもよい。
【００３８】
ＲＯＭ１３は、ＣＰＵ１１が実行するコンピュータプログラムを記憶する。ＲＯＭ１３は、その他に固定的なデータを記憶していてもよい。ＲＯＭ１３は、例えば、Ｐ−ＲＯＭ（Ｐｒｏｇｒａｍｍａｂｌｅ  ＲＯＭ）であってもよい。
【００３９】
記憶装置１４は、料金徴収装置２０が長期的に保存するデータを記憶する。記憶装置１４は、ＣＰＵ１１の一時記憶装置として動作してもよい。記憶装置１４は、例えば、ハードディスク装置、光磁気ディスク装置、ＳＳＤ（Ｓｏｌｉｄ  Ｓｔａｔｅ  Ｄｒｉｖｅ）及びディスクアレイ装置のうちの少なくとも一つを含んでいてもよい。
【００４０】
入力装置１５は、料金徴収装置２０のユーザからの入力指示を受け取る装置である。入力装置１５は、例えば、キーボード、マウス及びタッチパネルのうちの少なくとも一つを含んでいてもよい。
【００４１】
出力装置１６は、料金徴収装置２０に関する情報を外部に対して出力する装置である。例えば、出力装置１６は、料金徴収装置２０に関する情報を表示可能な表示装置であってもよい。
【００４２】
（初回入場時の動作）
次に、第１実施形態に係る料金徴収システム１の初回入場時の動作の流れについて、図３を参照しながら説明する。図３は、第１実施形態に係る料金徴収システムにおける１回目の入場時の動作の流れを示すフローチャートである。
【００４３】
図３に示すように、ユーザのカジノ施設への初回入場時には、まずユーザ認証部１１０が、顔認証を実行する（ステップＳ１１）。即ち、入場時の本人確認を行う。なお、顔認証が失敗した場合（ステップＳ１１：ＮＯ）、ユーザの入場を許可できないと判断し、ゲートを閉鎖する（ステップＳ１５）。
【００４４】
顔認証が失敗した場合（ステップＳ１１：ＹＥＳ）、支払処理部１２０が、入場料を徴収すべきユーザであるか否かを判定する（ステップＳ１２）。なお、入場料を徴収すべきでユーザでないと判定された場合（ステップＳ１２：ＮＯ）、ユーザの入場を許可すると判断し、ゲートを開放する（ステップＳ１４）。
【００４５】
入場料を徴収すべきでユーザであると判定された場合（ステップＳ１２：ＹＥＳ）、支払処理部１２０は、そのユーザから入場料を徴収済みであるか否かを判定する（ステップＳ１３）。そして、入場料を徴収済みであると判定された場合（ステップＳ１３：ＹＥＳ）、ユーザの入場を許可すると判断し、ゲートを開放する（ステップＳ１４）。一方、入場料を徴収済みでないと判定された場合（ステップＳ１３：ＮＯ）、ユーザの入場を許可できないと判断し、ゲートを閉鎖する（ステップＳ１５）。
【００４６】
（再入場料発生時の動作）
次に、第１実施形態に係る料金徴収システム１の再入場料発生時の動作の流れについて、図４を参照しながら説明する。図４は、第１実施形態に係る料金徴収システムにおける再入場料発生時の動作の流れを示すフローチャートである。
【００４７】
図４に示すように、第１実施形態に係る料金徴収システム１の動作時には、まず料金発生検出部２１０が、ユーザに再入場料が発生しているか否かを判定（検出）する（ステップＳ１０１）。再入場料が発生しているか否かは、例えばユーザがカジノ施設に入場してから経過した時間をカウントしておき、カウントした時間が所定期間（例えば、２４時間）を超えたか否かで判定すればよい。
【００４８】
再入場料が発生していると判定された場合（ステップＳ１０１：ＹＥＳ）、立替支払部２２０がユーザに代わって再入場料の立替支払いを行う（ステップＳ１０２）。その後、徴収フラグ付与部２３０が、ユーザに徴収フラグを付与する（ステップＳ１０３）。徴収フラグは、例えばユーザの管理情報（例えば、ユーザＩＤ等）に紐付けられて管理される。なお、再入場料が発生していないと判定された場合（ステップＳ１０１：ＮＯ）、上述したステップＳ１０２及びＳ１０３の処理は省略される。
【００４９】
続いて、料金徴収システム１は、ユーザの退場を検出する（ステップＳ１０４）。ここでは、ユーザがカジノ施設から退場した状態ではなく、ユーザがカジノ施設から退場しようとしている状態（具体的には、まだ退場はしていないが、退場する直前の状態）を検出してもよい。料金徴収システム１は、例えば、ユーザが入退場ゲート装置１０に接近した場合、或いは入退場ゲート装置１０に対して何らかの操作を行った場合に、ユーザの退場を検出してもよい。この場合、入退場ゲート装置１０では、顔認証によるユーザの特定が行われてもよい。具体的には、入退場ゲート装置１０近くにいるユーザの顔画像を撮影した後、撮像した画像と記憶された入場者の顔画像とを比較して、ユーザを特定してもよい。なお、ユーザの退場が検出されない場合（ステップＳ１０４：ＮＯ）、再びステップＳ１０１から処理が繰り返される。
【００５０】
ユーザの退場が検出された場合（ステップＳ１０４：ＹＥＳ）、徴収フラグ判定部２４０が、カジノ施設から退場するユーザに徴収フラグが付与されているか否かを判定する（ステップＳ１０５）。そして、徴収フラグが付与されていると判定された場合（ステップＳ１０５：ＹＥＳ）、支払要求部２５０が、ユーザに対して立替支払いした再入場料の支払を要求する（ステップＳ１０６）。一方、徴収フラグが付与されていないと判定された場合（ステップＳ１０５：ＮＯ）、支払要求部２５０は、ユーザに対して立替支払いした再入場料の支払を要求しない（即ち、ステップＳ１０６の処理は省略される）。
【００５１】
（具体的な動作例）
次に、第１実施形態に係る料金徴収システム１の具体的な動作例について、図５を参照して説明する。図５は、第１実施形態に係る料金徴収システムの具体的な動作例を示す概念図である。なお、以下では、２４時間経過する毎に再入場料が課されるケースを例にして説明する。
【００５２】
図５に示すように、ユーザが７月１日の１０時にカジノ施設に入場し、７月４日の１０時にカジノ施設から退場したとする。この場合、ユーザはカジノ施設への入場時（即ち、７月１日の１０時）に入場料を支払う。
【００５３】
その後、入場から２４時間経過した７月２日の１０時に再入場料が発生する。しかし、この時点ではユーザに支払いは要求されず、カジノ事業者（言い換えれば、料金徴収システム１）が再入場料の立替支払いを行う。また、それから２４時間経過した７月３日の１０時にも２度目の再入場料が発生する。この時点でもユーザに支払いは要求されず、カジノ事業者が再入場料の立替支払いを行う。
【００５４】
ユーザは、カジノ施設からの退場時（即ち、７月４日の１０時）に立替支払いされた再入場料（２回分）をまとめて支払う。再入場料を支払うと、入退場ゲート装置１０のゲートが開かれ、ユーザはゲートを通過可能となる。
【００５５】
（技術的効果）
次に、第１実施形態に係る料金徴収システム１によって得られる技術的効果について説明する。
【００５６】
図１から図５で説明したように、第１実施形態に係る料金徴収システム１では、カジノ施設において発生した再入場料がその都度ユーザから徴収されず、一旦立替支払いが行われる。そして、立替支払いされた再入場料は、ユーザがカジノ施設から退場する際にまとめて請求される。このようにすれば、再入場料が発生する度にユーザが支払処理を行わずに済むため、ユーザの手間を大きく低減することができる。また、カジノ事業者側も、より効率的に再入場料を徴収することが可能である。
【００５７】
＜第２実施形態＞
第２実施形態に係る料金徴収システム１について、図６から図８を参照して説明する。なお、第２実施形態は、上述した第１実施形態と一部の構成及び動作が異なるのみであり、その他の部分は同様である。このため、以下では第１実施形態と異なる部分について詳細に説明し、他の重複する部分については適宜説明を省略するものとする。
【００５８】
（システム構成）
第２実施形態に係る料金徴収システム１の具体的なシステム構成について、図６を参照しながら説明する。図６は、第２実施形態に係る料金徴収システムの構成を示すブロック図である。
【００５９】
図６に示すように、第２実施形態に係る料金徴収システム１の料金徴収装置２０は、料金発生検出部２１０に加えて、カード情報判定部２６０と、カード決済処理部２７０とを備えて構成されている。
【００６０】
カード情報判定部２６０は、ユーザの情報として、クレジットカードによる決済情報（以下、適宜「カード情報」と称する）が登録されているか否かを判定可能に構成されている。即ち、カード情報判定部２６０は、そのユーザについて、カード決済処理を実行可能であるか否かを判定可能に構成されている。カード情報は、例えばカジノ施設への入場時に登録される。より具体的には、例えば入場料の支払に利用したカード情報を今後の支払のために登録してよいかユーザに確認し、同意が得られた場合にカード情報を登録（記憶）するようにすればよい。カード情報判定部２６０の判定結果は、カード決済処理部２７０に出力される構成となっている。
【００６１】
カード決済処理部２７０は、カード情報判定部２６０でカード情報が登録されていると判定された場合に、そのカードによる決済処理を実行可能に構成されている。
【００６２】
（再入場料発生時の動作）
次に、第２実施形態に係る料金徴収システム１の再入場料発生時の動作の流れについて、図７を参照しながら説明する。図７は、第２実施形態に係る料金徴収システムにおける再入場料発生時の動作の流れを示すフローチャートである。なお、第２実施形態における初回入場時の動作は、第１実施形態と同様（即ち、図３のフローチャートと同様）であるものとする。
【００６３】
図７に示すように、第２実施形態に係る料金徴収システム１の動作時には、まず料金発生検出部２１０が、ユーザに再入場料が発生しているか否かを判定する（ステップＳ２０１）。なお、再入場料が発生していないと判定された場合（ステップＳ２０１：ＮＯ）、以降の処理は省略される。この場合、所定期間ごとに再びステップＳ２０１の処理が実行されてもよい。
【００６４】
再入場料が発生していると判定された場合（ステップＳ２０１：ＹＥＳ）、カード情報判定部２６０が、ユーザのカード情報が登録されているか否かを判定する（ステップＳ２０２）。そして、カード情報が登録されていると判定された場合（ステップＳ２０２：ＹＥＳ）、カード決済処理部２７０が、登録されたカード情報を用いて再入場料の支払いを行う（ステップＳ２０３）。なお、カード決済処理部２７０は、自動的に再入場料の支払いを行ってもよいし、ユーザに再入場料の支払処理を行ってよいか確認してから（即ち、ユーザの同意が得られてから）支払いを行ってもよい。
【００６５】
他方、カード情報が登録されていないと判定された場合（ステップＳ２０２：ＮＯ）、カード決済処理部２７０による支払処理は実行されない（即ち、ステップＳ２０３は省略される）。この場合、料金徴収システム１は、再入場料を徴収するために、ユーザに対してカード情報の登録を促すような通知を行ってもよい。或いは、第１実施形態で説明したように、再入場料の立替支払いを行ってから、ユーザの退場時にまとめて支払い行うようにしてもよい（具体的には、ステップＳ２０２でＮＯと判定された場合、図４のステップＳ１０２に進むようにしてもよい）。
【００６６】
（具体的な動作例）
次に、第２実施形態に係る料金徴収システム１の具体的な動作例について、図８を参照して説明する。図８は、第２実施形態に係る料金徴収システムの具体的な動作例を示す概念図である。
【００６７】
図８に示すように、ユーザが７月１日の１０時にカジノ施設に入場し、７月４日の１０時にカジノ施設から退場したとする。この場合、ユーザはカジノ施設への入場時（即ち、７月１日の１０時）に入場料を支払う。なお、入場時の支払に利用したカード情報は、料金徴収システム１に登録される。
【００６８】
その後、入場から２４時間経過した７月２日の１０時に再入場料が発生する。ここでは、ユーザのカード情報が入場時に登録されているため、カード決済処理部２７０が登録されたカード情報を用いて再入場料の決済処理を実行する。また、それから２４時間経過した７月３日の１０時には２度目の再入場料が発生する。ここでも、ユーザのカード情報が既に登録されているため、カード決済処理部２７０が登録されたカード情報を用いて再入場料の決済処理を実行する。
【００６９】
上述した処理の結果、ユーザは、カジノ施設からの退場時（即ち、７月４日の１０時）に支払いを行わずに済む。
【００７０】
（技術的効果）
次に、第２実施形態に係る料金徴収システム１によって得られる技術的効果について説明する。
【００７１】
図６から図８で説明したように、第２実施形態に係る料金徴収システム１によれば、カード情報を登録しておくことで、自動的に再入場料の決済処理が実行される。このため、ユーザは再入場料が発生する度に支払いを行わずともよい。また、再入場料の発生時点で決済処理が完了しているため、その後のタイミング（例えば、カジノ施設からの退場するタイミング）で改めて支払いを行う必要がない。よって、ユーザの手間を大きく低減することができる。また、カジノ事業者側も、より確実に再入場料を徴収することが可能である。
【００７２】
＜第３実施形態＞
第３実施形態に係る料金徴収システム１について、図９から図１２を参照して説明する。なお、第３実施形態は、上述した第１及び第２実施形態と一部の構成及び動作が異なるのみであり、その他の部分は同様である。このため、以下では第１及び第２実施形態と異なる部分について詳細に説明し、他の重複する部分については適宜説明を省略するものとする。
【００７３】
（システム構成）
第３実施形態に係る料金徴収システム１の具体的なシステム構成について、図９を参照しながら説明する。図９は、第３実施形態に係る料金徴収システムの構成を示すブロック図である。
【００７４】
図９に示すように、第３実施形態に係る料金徴収システム１の料金徴収装置２０は、料金発生検出部２１０に加えて、最長滞在期間取得部２８０と、最大料金徴収部２９０と、返金処理部３００とを備えて構成されている。
【００７５】
最長滞在期間取得部２８０は、ユーザが連続してカジノ施設に滞在できる最長の期間である最長滞在期間を取得する。カジノ施設には、例えば「直近７日のうち３日以内」、「直近２８日のうち１０日以内」という入場制限が設定される。よって、ユーザがカジノ施設に入場する時点で、それ以降どの程度カジノ施設に滞在できるかを算出することができる。最長滞在期間取得部２８０は、例えばユーザに関する情報（例えば、ユーザの直近でのカジノ施設の利用履歴等）に基づいて、最長滞在期間を算出する。最長滞在期間取得部２８０が取得した最長滞在期間は、最大料金徴収部２９０に出力される構成となっている。
【００７６】
最大料金徴収部２９０は、最長滞在期間取得部２８０で取得された最長滞在期間に基づいて、ユーザに課される可能性のある最大料金（即ち、最長滞在期間ギリギリまで滞在した場合にかかる総費用）を算出し、ユーザがカジノ施設に入場するタイミングで最大料金を徴収する。
【００７７】
返金処理部３００は、ユーザから徴収した最大料金から、実際にかかった費用を差し引いた余剰金を、ユーザがカジノ施設から退場するタイミングでユーザに返金する。返金処理部３００は、入場時に徴収した最大料金から、入場料及び再入場料を差し引くことで余剰金を算出する。余剰金は、ユーザが比較的早いタイミングでカジノ施設から退場する場合や、再入場料が発生しない場合（或いは、想定より少ない回数しか再入場料が発生しない場合）に発生する。返金処理部３００は、算出した余剰金を、例えば現金や電子マネーとしてユーザに返金可能に構成されている。
【００７８】
（入場時の動作）
次に、第３実施形態に係る料金徴収システム１の入場時の動作の流れについて、図１０を参照しながら説明する。図１０は、第３実施形態に係る料金徴収システムにおける入場時の動作の流れを示すフローチャートである。なお、図１０では、図３で示した各処理と同様のものに同一の符号を付している。
【００７９】
図１０に示すように、ユーザのカジノ施設への入場時には、まずユーザ認証部１１０が、顔認証を実行する（ステップＳ１１）。なお、顔認証が失敗した場合（ステップＳ１１：ＮＯ）、ユーザの入場は許可されないため、ゲートが閉鎖される（ステップＳ１５）。
【００８０】
顔認証が失敗した場合（ステップＳ１１：ＹＥＳ）、支払処理部１２０が、入場料を徴収すべきユーザであるか否かを判定する（ステップＳ１２）。なお、入場料を徴収すべきでユーザでないと判定された場合（ステップＳ１２：ＮＯ）、ユーザの入場が許可されるため、ゲートが開放される（ステップＳ１４）。
【００８１】
入場料を徴収すべきでユーザであると判定された場合（ステップＳ１２：ＹＥＳ）、最長滞在期間取得部２８０が、カジノ施設に入場するユーザの最長滞在期間を取得する（ステップＳ２１）。そして、最大料金徴収部２９０が、最長滞在期間から算出された最大料金を支払うようにユーザに要求する（ステップＳ２２）。
【００８２】
続いて、支払処理部１２０が、ユーザから最大料金を徴収済みであるか否かを判定する（ステップＳ２３）。そして、最大料金を徴収済みであると判定された場合（ステップＳ２３：ＹＥＳ）、ユーザの入場を許可すると判断し、ゲートを開放する（ステップＳ１４）。一方、最大料金を徴収済みでないと判定された場合（ステップＳ２３：ＮＯ）、ユーザの入場を許可できないと判断し、ゲートを閉鎖する（ステップＳ１５）。
【００８３】
（再入場料発生時の動作）
次に、第３実施形態に係る料金徴収システム１の動作の流れについて、図１１を参照しながら説明する。図１１は、第３実施形態に係る料金徴収システムにおける再入場料発生時の動作の流れを示すフローチャートである。
【００８４】
図１１に示すように、第３実施形態に係る料金徴収システム１の動作時には、まず料金発生検出部２１０が、ユーザに再入場料が発生しているか否かを判定する（ステップＳ３０１）。再入場料が発生していると判定された場合（ステップＳ３０１：ＹＥＳ）、返金処理部３００は、最大料金から再入場料分を減算する処理を実行する（ステップＳ３０２）。なお、再入場料が発生していないと判定された場合（ステップＳ３０１：ＮＯ）、上述したステップＳ３０２の処理は省略される。
【００８５】
続いて、料金徴収システム１は、ユーザの退場を検出する（ステップＳ３０３）。ユーザの退場が検出されない場合（ステップＳ３０３：ＮＯ）、しばらくしてから再びステップＳ３０１の処理が実行されればよい。一方、ユーザの退場が検出された場合（ステップＳ３０３：ＹＥＳ）、返金処理部３００が、余剰金が発生しているか否かを判定する（ステップＳ３０４）。そして、余剰金が発生していると判定された場合（ステップＳ３０４：ＹＥＳ）、返金処理部３００は、ユーザに対して余剰金の返金処理を行う（ステップＳ３０５）。一方、余剰金が発生していないと判定された場合（ステップＳ３０４：ＮＯ）、返金処理部３００は、ユーザに対して返金処理を実行しない（即ち、ステップＳ３０５の処理は省略される）。
【００８６】
（具体的な動作例）
次に、第３実施形態に係る料金徴収システム１の具体的な動作例について、図１２を参照して説明する。図１２は、第３実施形態に係る料金徴収システムの具体的な動作例を示す概念図である。
【００８７】
図１２に示すように、ユーザが７月１日の１０時にカジノ施設に入場し、７月４日の１０時にカジノ施設から退場したとする。この場合、ユーザはカジノ施設への入場時（即ち、７月１日の１０時）に最大料金を支払う。即ち、最長滞在期間に相当する日数分の入場料及び再入場料を支払う。
【００８８】
その後、入場から２４時間経過した７月２日の１０時に再入場料が発生する。ここでは、予め徴収された最大料金から１回分の再入場料が差し引かれる。また、それから２４時間経過した７月３日の１０時には２度目の再入場料が発生する。ここでも、予め徴収された最大料金から１回分の再入場料が差し引かれる。この結果、最大料金からは２回分の再入場料が差し引かれた状態となる。
【００８９】
そして、ユーザがカジノ施設から退場する際（即ち、７月４日の１０時）に、余剰金が発生していれば返金処理が行われる。即ち、事前に払い過ぎていた分の料金があればユーザに返金される。なお、かかった費用が最大料金と同額であれば、返金処理は実行されない。
【００９０】
（技術的効果）
次に、第３実施形態に係る料金徴収システム１によって得られる技術的効果について説明する。
【００９１】
図９から図１２で説明したように、第３実施形態に係る料金徴収システム１にでは、カジノ施設への入場時に最長滞在期間に応じた最大料金が徴収され、退場時に余剰金が返金される。このようにすれば、最初に最大料金を支払っているため、再入場料が発生する度に支払を行わずに済む。よって、ユーザの手間を大きく低減することができる。また、カジノ事業者側も、より確実に再入場料を徴収することが可能である。
【００９２】
＜付記＞
以上説明した実施形態に関して、更に以下の付記を開示する。
【００９３】
（付記１）
付記１に記載の料金徴収システムは、遊戯施設への入場から所定期間経過したユーザに課される再入場料が発生した場合に、該再入場料の立替支払いを実行する立替手段と、前記立替支払いの対象となった前記ユーザに、立替支払いされた前記再入場料の支払いを要求する要求手段とを備えることを特徴とする料金徴収システムである。
【００９４】
（付記２）
付記２に記載の料金徴収システムは、前記要求手段は、前記ユーザが前記遊戯施設の退場ゲートを通過する前に前記再入場料の支払いを要求し、前記再入場料が支払われたことを条件に前記退場ゲートの通過を許可することを特徴とする付記１に記載の料金徴収システムである。
【００９５】
（付記３）
付記３に記載の料金徴収システムは、遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段とを備えることを特徴とする料金徴収システムである。
【００９６】
（付記４）
付記４に記載の料金徴収システムは、前記再入場料が発生した場合に、前記再入場料を支払うべき前記ユーザがカード支払い情報を登録しているか否かを判定する登録判定手段を更に備えることを特徴とする付記３に記載の料金徴収システムである。
【００９７】
（付記５）
付記５に記載の料金徴収システムは、前記カード支払い情報が登録されていない場合に、前記再入場料の立替支払いを実行する立替手段と、前記立替支払いの対象となった前記ユーザに、立替支払いされた前記再入場料の支払いを要求する要求手段とを更に備えることを特徴とする付記３又は４に記載の料金徴収システムである。
【００９８】
（付記６）
付記６に記載の料金徴収システムは、前記立替支払いの対象となった前記ユーザに徴収フラグを付与するフラグ付与手段と、前記遊戯施設からの退場が検出された前記ユーザに前記徴収フラグが付与されているか否かを判定するフラグ判定手段とを更に備え、前記要求手段は前記徴収フラグが付与されていると判定された前記ユーザに、立替支払いされた前記再入場料の支払いを要求することを特徴とする付記１、２及び５のいずれか一項に記載の料金徴収システムである。
【００９９】
（付記７）
付記７に記載の料金徴収システムは、入場から所定期間経過したユーザに再入場料が発生する遊戯施設の料金徴収システムであって、前記遊戯施設への入場時に、入場する前記ユーザが前記遊戯施設内に継続して滞在可能な期間である最長滞在期間に応じた再入場料を含む最大料金を徴収する徴収手段と、前記ユーザの退場時に、前記最大料金から前記ユーザが支払うべき料金を差し引いた余剰金を返金する返金手段とを備えることを特徴とする料金徴収システムである。
【０１００】
（付記８）
付記８に記載の料金徴収システムは、前記最長滞在期間を取得する期間取得手段を更に備えることを特徴とする付記７に記載の料金徴収システムである。
【０１０１】
（付記９）
付記９に記載の料金徴収システムは、前記再入場料の発生を検出する検出手段を更に備えることを特徴とする付記１から８のいずれか一項に記載の料金徴収システムである。
【０１０２】
（付記１０）
付記１０に記載の料金徴収システムは、前記ユーザの前記遊戯施設からの退場を顔認証によって検出する退場検出手段を更に備えることを特徴とする付記１から９のいずれか一項に記載の料金徴収システムである。
【０１０３】
（付記１１）
付記１１に記載の料金徴収システムは、前記再入場料が発生した場合に、前記ユーザが前記遊戯施設に再入場した旨を前記遊戯施設の管理委員会に通知することを特徴とする付記１から１０のいずれか一項に記載の料金徴収システムである。
【０１０４】
（付記１２）
付記８に記載の料金徴収システムは、前記遊戯施設内における前記ユーザをトラッキングするトラッキング手段と、前記再入場料が発生した前記ユーザが前記トラッキングされている場合に、前記ユーザの最寄りのディスプレイで前記再入場料が発生した旨を通知する通知手段とを更に備えることを特徴とする付記１から１１のいずれか一項に記載の料金徴収システムである。
【０１０５】
（付記１３）
付記１３に記載の料金徴収装置は、遊戯施設への入場から所定期間経過したユーザに課される再入場料が発生した場合に、該再入場料の立替支払いを実行する立替手段と、前記立替支払いの対象となった前記ユーザに、立替支払いされた前記再入場料の支払いを要求するよう指示を出力する要求手段とを備えることを特徴とする料金徴収装置である。
【０１０６】
（付記１４）
付記１４に記載の料金徴収装置は、遊戯施設への入場から所定期間経過したユーザに課される再入場料が発生し、前記再入場料を支払うべき前記ユーザのカード支払い情報が登録されている場合に、前記カード支払い情報を用いて前記再入場料の支払いを実行する実行手段とを備えることを特徴とする料金徴収装置である。
【０１０７】
（付記１５）
付記１５に記載の料金徴収装置は、入場から所定期間経過したユーザに再入場料が発生する遊戯施設の料金徴収装置であって、前記遊戯施設への入場時に、入場する前記ユーザが前記遊戯施設内に継続して滞在可能な期間である最長滞在期間に応じた再入場料を含む最大料金を徴収するよう指示を出力する徴収手段と、前記ユーザの退場時に、前記最大料金から前記ユーザが支払うべき料金を差し引いた余剰金を返金するよう指示を出力する返金手段とを備えることを特徴とする料金徴収装置である。
【０１０８】
（付記１６）
付記１６に記載の料金徴収方法は、遊戯施設への入場から所定期間経過したユーザに課される再入場料が発生した場合に、該再入場料の立替支払いを実行し、前記立替支払いの対象となった前記ユーザに、前記再入場料の支払いを要求することを特徴とする料金徴収方法である。
【０１０９】
（付記１７）
付記１７に記載の料金徴収方法は、遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行することを特徴とする料金徴収方法である。
【０１１０】
（付記１８）
付記１８に記載の料金徴収方法は、入場から所定期間経過したユーザに再入場料が発生する遊戯施設の料金徴収方法であって、前記遊戯施設への入場時に、入場する前記ユーザが前記遊戯施設内に継続して滞在可能な期間である最長滞在期間に応じた再入場料を含む最大料金を徴収し、前記ユーザの退場時に、前記最大料金から前記ユーザが支払うべき料金を差し引いた余剰金を返金することを特徴とする料金徴収方法である。
【０１１１】
（付記１９）
付記１９に記載のコンピュータプログラムは、遊戯施設への入場から所定期間経過したユーザに課される再入場料が発生した場合に、該再入場料の立替支払いを実行し、前記立替支払いの対象となった前記ユーザに、前記再入場料の支払いを要求するようにコンピュータを動作させることを特徴とするコンピュータプログラムである。
【０１１２】
（付記２０）
付記２０に記載のコンピュータプログラムは、遊戯施設への入場から所定期間経過したユーザに課される再入場料が発生した場合に、前記再入場料を支払うべき前記ユーザのカード支払い情報が登録されている場合に、前記カード支払い情報を用いて前記再入場料の支払いを実行するようにコンピュータを動作させることを特徴とするコンピュータプログラムである
【０１１３】
（付記２１）
付記２１に記載のコンピュータプログラムは、入場から所定期間経過したユーザに再入場料が発生する遊戯施設の料金徴収方法であって、前記遊戯施設への入場時に、入場する前記ユーザが前記遊戯施設内に継続して滞在可能な期間である最長滞在期間に応じた再入場料を含む最大料金を徴収し、前記ユーザの退場時に、前記最大料金から前記ユーザが支払うべき料金を差し引いた余剰金を返金するようにコンピュータを動作させることを特徴とするコンピュータプログラムである。
【０１１４】
（付記２２）
付記２２に記載の記録媒体は、付記１９から２１のいずれか一項に記載のコンピュータプログラムが記録されていることを特徴とする記録媒体である。
【０１１５】
本発明は、請求の範囲及び明細書全体から読み取ることのできる発明の要旨又は思想に反しない範囲で適宜変更可能であり、そのような変更を伴う料金徴収システム、料金徴収装置料金徴収方法及びコンピュータプログラムもまた本発明の技術思想に含まれる。
【０１１６】
法令で許容される限りにおいて、この出願は、２０１９年９月３０日に出願された日本出願特願２０１９−１７８９２６を基礎とする優先権を主張し、その開示の全てをここに取り込む。また、法令で許容される限りにおいて、本願明細書に記載された全ての公開公報及び論文をここに取り込む。
【符号の説明】
【０１１７】
１  料金徴収システム
１０  入退場ゲート装置
２０  料金徴収装置
１１０  ユーザ認証部
１２０  支払処理部
１３０  ゲート開閉制御部
２１０  料金発生検出部
２２０  立替支払部
２３０  徴収フラグ付与部
２４０  徴収フラグ判定部
２５０  支払要求部
２６０  カード情報判定部
２７０  カード決済処理部
２８０  最長滞在期間取得部
２９０  最大料金徴収部
３００  返金処理部
【要約】
料金徴収システム（１）は、遊戯施設への入場から所定期間経過したユーザに課される再入場料が発生した場合に、再入場料の立替支払いを実行する立替手段（２２０）と、立替支払いの対象となったユーザに徴収フラグを付与するフラグ付与手段（２３０）と、遊戯施設からの退場が検出されたユーザに、再入場料の支払いを要求する要求手段（２５０）とを備える。このような料金徴収システムによれば、遊戯施設の利用料金を適切に徴収することが可能である。【図１】
0006904492.tif 000002
【図２】
0006904492.tif 000003
【図３】
0006904492.tif 000004
【図４】
0006904492.tif 000005
【図５】
0006904492.tif 000006
【図６】
0006904492.tif 000007
【図７】
0006904492.tif 000008
【図８】
0006904492.tif 000009
【図９】
0006904492.tif 000010
【図１０】
0006904492.tif 000011
【図１１】
0006904492.tif 000012
【図１２】
0006904492.tif 000013